(57)【要約】【課題】熱等によるマイナスイオンの減少を防止できると共に、マイナスイオン発生量を増加させることができ、且つマイナスイオンを遠くまで到達させることができるヘアードライヤーを提供する。【解決手段】本発明に係るヘアードライヤー１は、一端側に吸入口１５と他端側に主放出口１６とが設けられて空気が流通する筒状の主通風路１４を備え、主通風路１４内部の上流側に該空気を送風するファン１８を有し、下流側に該空気を加熱するヒーター１７を有し、さらに、主通風路１４におけるファン１８とヒーター１７との間の位置から分岐して前記空気を分流させる副通風路２１を備え、副通風路２１は内部に、マイナスイオンを発生させるイオン発生手段のうちの少なくとも放電電極２４と、分流させた空気を冷却する冷却手段２８とが設けられると共に、分流させた空気を放出する放出口２３が主通風路１４に連通して設けられている。【選択図】図１
2013022251.tif 000002
【特許請求の範囲】
【請求項１】
一端側に空気を取り込む吸入口が設けられ、他端側に該空気を放出する主放出口が設けられて該空気が流通する筒状の主通風路を備え、該主通風路内部の上流側に該空気を送風するファンを有すると共に下流側に該空気を加熱するヒーターを有するヘアードライヤーにおいて、
前記主通風路における前記ファンと前記ヒーターとの間の位置から分岐して前記空気を分流させる副通風路を備え、
前記副通風路は、内部に、マイナスイオンを発生させるイオン発生手段のうちの少なくとも放電電極と、前記分流させた空気を冷却する冷却手段とが設けられると共に、該分流させた空気を放出する放出口が前記主通風路に連通して設けられていること
を特徴とするヘアードライヤー。
【請求項２】
前記副通風路は、前記主通風路から空気を分流させる取込口が該主通風路の内壁面に開口する孔状に設けられると共に、該副通風路における該取込口近傍の流路が該主通風路に対して所定の角度を成すように設けられていること
を特徴とする請求項１記載のヘアードライヤー。
【請求項３】
前記ヒーターは、前記主通風路の中心に対して前記副通風路寄りの上半部の外径寸法が下半部の外径寸法よりも小さくなるように配設されて、該主通風路内の最上部に該ヒーターにより加熱されない風の流路が形成されること
を特徴とする請求項１または請求項２記載のヘアードライヤー。
【請求項４】
前記副通風路の放出口は、前記主通風路内の最上部に連通して設けられていること
を特徴とする請求項３記載のヘアードライヤー。
【請求項５】
前記イオン発生手段の放電電極は、前記副通風路内の前記放出口の近傍に配設されると共に、該イオン発生手段の対向電極は、前記主通風路内の最上部に配設されていること、
を特徴とする請求項１〜４のいずれか一項記載のヘアードライヤー。
【請求項６】
前記冷却手段は、ペルチェ素子の吸熱部であること
を特徴とする請求項１〜５のいずれか一項記載のヘアードライヤー。
【発明の詳細な説明】
【技術分野】
【０００１】
本発明は、ヘアードライヤーに関し、さらに詳細には、温風や冷風と共にマイナスイオンを供給するヘアードライヤーに関する。
【背景技術】
【０００２】
毛髪の乾燥やセット等に用いられるヘアードライヤーに関して、特に温風が吹き当てられることによる毛髪の痛み、あるいは静電気の発生を防止すること等を目的として、温風や冷風と共にマイナスイオンを供給するヘアードライヤーが知られている。
【０００３】
ここで、上記構成に例示されるヘアードライヤーの従来例として、図４に示すヘアードライヤー１００が知られている（特許文献１参照）。このヘアードライヤー１００の構成は、送風ファン１１５やヒーターユニット１１７が配置される通風路１１８とは別に副通風路１１９を設け、その内部に放熱体１５６を配置する。イオン発生装置の放電部１３３と、冷却装置を構成する熱電変換部１５１の吸熱部分を通風路１１８に臨んで配置する。また、副通風路１１９には、送風ファン１１５で送給され、ヒーターユニット１１７で加熱される前の乾燥風を導入する。さらに、放電部１３３は吸熱部分より上流側に配置し、放電部１３３で生成されたマイナスイオンを吸熱部分で強制的に冷却する。これによれば、イオン発生装置で生成したイオンを強制的に低温化して、その熱運動エネルギーを低い状態に維持しイオンの消散を抑止することにより、髪に到達できるイオン量を向上することができるというものである。
【０００４】
その他にも、温風や冷風と共にマイナスイオンを供給するヘアードライヤーの例として、特許文献２〜４等に記載のヘアードライヤーが知られている。
【先行技術文献】
【特許文献】
【０００５】
【特許文献１】特開２００８−２８４２０２号公報
【特許文献２】特開２００８−２６４３８６号公報
【特許文献３】特開２００４−２０８９３５号公報
【特許文献４】特開２００５−０００５４６号公報
【発明の概要】
【発明が解決しようとする課題】
【０００６】
ここで、特許文献１記載のヘアードライヤーに例示されるように、ヒーターで加熱された温風が流通する主通風路内においてマイナスイオンを生成して放出する場合には、温風の熱による高温環境となることによってマイナスイオンが消滅し易いという課題が生じる。その結果、毛髪に到達するマイナスイオン量が低下して効果が減少してしまう課題が生じる。
【０００７】
一方、特許文献２記載のヘアードライヤーに例示されるように、主通風路におけるヒーター配設位置よりも上流側で通風路を分岐することによって温風が通過しない副通風路を設け、当該副通風路内においてマイナスイオンを生成して放出する場合には、熱によるマイナスイオンの消滅という課題の解決が可能になる。しかしながら、副通風路は主通風路に比べて狭いうえに、主通風路から分流した空気の流れであるために、風速・風量が低くなり、放電部周辺がマイナスの電荷で満たされた飽和状態となり、マイナスイオンの発生量が減少してしまう課題が生じ得る。これに加えて、副通風路における風速・風量が低いことによって、毛髪に到達するマイナスイオン量が低下して効果が減少してしまう課題が生じる。
【０００８】
またその逆に、特許文献３記載のヘアードライヤーに例示されるように、主通風路を通過する風をそのまま同一方向に分流させて副通風路に流通させてしまうと、副通風路における風速・風量が高すぎて、分流させた空気を十分に冷却できないという課題が生じる。
【０００９】
本発明は、上記事情に鑑みてなされ、熱あるいは電荷の飽和によるマイナスイオンの減少を防止できると共に、十分に冷却した空気を流通させてマイナスイオン発生量を増加させることができ、且つマイナスイオンを遠くまで到達させることができるヘアードライヤーを提供することを目的とする。
【課題を解決するための手段】
【００１０】
一実施形態として、以下に開示するような解決手段により、前記課題を解決する。
【００１１】
開示のヘアードライヤーは、一端側に空気を取り込む吸入口が設けられ、他端側に該空気を放出する主放出口が設けられて該空気が流通する筒状の主通風路を備え、該主通風路内部の上流側に該空気を送風するファンを有すると共に下流側に該空気を加熱するヒーターを有するヘアードライヤーにおいて、前記主通風路における前記ファンと前記ヒーターとの間の位置から分岐して前記空気を分流させる副通風路を備え、前記副通風路は、内部に、マイナスイオンを発生させるイオン発生手段のうちの少なくとも放電電極と、前記分流させた空気を冷却する冷却手段とが設けられると共に、該分流させた空気を放出する放出口が前記主通風路に連通して設けられていることを要件とする。
【発明の効果】
【００１２】
開示のヘアードライヤーによれば、熱によるマイナスイオンの減少を防止できると共に、電荷の飽和によるマイナスイオン発生量の減少を防止できる。また、十分に冷却した空気を流通させてマイナスイオン発生量を増加させることができる。さらに、マイナスイオンを遠くまで到達させることができる。
【図面の簡単な説明】
【００１３】
【図１】本発明の実施形態に係るヘアードライヤーの例を示す概略図（側面断面図）である。
【図２】本発明の実施形態に係るヘアードライヤーの例を示す概略図（正面図）である。
【図３】図２の部分拡大図である。
【図４】従来の実施形態に係るヘアードライヤーの例を示す概略図（側面断面図）である。
【発明を実施するための形態】
【００１４】
以下、図面を参照して、本発明の実施形態について詳しく説明する。図１は、本発明の実施形態に係るヘアードライヤー１の例を示す側面断面図（概略図）であり、図２はその正面図（概略図）である。また、図３は、図２におけるＸ部の部分拡大図である。なお、実施形態を説明するための全図において、同一の機能を有する部材には同一の符号を付し、その繰り返しの説明は省略する場合がある。
【００１５】
本実施形態に係るヘアードライヤー１は、図１、２に示すように、ハウジング１１の下部にグリップ１２が折り畳み可能に取付けられ、ハウジング１１の後端に空気（外気）を取り込む吸入口１５が設けられ、ハウジング１１の前端に当該取り込んだ空気を放出する主放出口１６が設けられている。これによって、ハウジング１１内に当該空気が流通する筒状の主通風路１４が形成される。
【００１６】
ハウジング１１の主通風路１４内部には、外気を吸入口１５から当該主通風路１４内に取り込むと共に主放出口１６へ向けて送風し、主放出口１６から温風（もしくは冷風）として放出させるファン１８、および当該ファン１８を回転駆動するモーター１９が設けられている。なおモーター１９の回転速度は前記グリップ１２に設けたスイッチ１３の切換えにより、例えば高速と低速とに切換えが可能に設定されている。
【００１７】
また、ハウジング１１の主通風路１４内部には、ファン１８よりも下流側（すなわち、ファン１８の駆動によって発生する空気の流通方向における下流側）に、当該主通風路１４内に取り込まれた空気を加熱するヒーター１７が設けられている。これによって、温風を生成することが可能となる。当該温風の流れを図１中において破線矢印Ｃ、Ｄで示す。なお、ヒーター１７に通電させないことによって、取り込まれた外気の温度のままの風を放出する冷風モードを設けてもよい。
【００１８】
一例として、ヒーター１７には電熱線が用いられ、筒状の主通風路１４の中心軸Ｓに対して周方向に巻回されて配設されている。当該ヒーター１７は図１においてその配置領域をハッチングによって図示し、図２においてその外形位置を破線によって図示している。本実施形態におけるヒーター１７は、主通風路１４の中心軸Ｓに対して副通風路２１（後述）寄りの上半部の外径寸法が下半部の外径寸法よりも小さくなるように配設されている。これによって、当該主通風路１４内の最上部１４ａにヒーター１７により加熱されない風の流路が形成される。なお、この風の流れを図１中において破線矢印Ｂで示す。これに対して、当該主通風路１４内の最下部を流れる風は、ヒーター１７によって生成される温風の中でも最も高温の温風となって放出される。図１中における破線矢印Ｄは、この高温温風の流れを示している。
【００１９】
一方、本実施形態に特徴的な構成として、主通風路１４におけるファン１８の配設位置とヒーター１７の配設位置との間の位置から分岐して、吸入口１５から当該主通風路１４内に取り込まれた空気（外気）を分流させる副通風路２１が設けられている。一例として、ハウジング１１の上部を上方に膨出させた膨出部２０を設け、当該膨出部２０の内部に副通風路２１を配設する構成としている。
【００２０】
より詳しくは、図１に示すように、主通風路１４から分岐して空気を副通風路２１へ分流させる取込口２２は、主通風路１４におけるファン１８の配設位置とヒーター１７の配設位置との間に設けられている。また、副通風路２１を主通風路１４に合流させて分流させた空気を主通風路１４内に放出する放出口２３がヒーター１７の配設位置と主通風路１４の主放出口１６の配設位置との間に設けられている。すなわち、分流させた空気を放出する放出口２３が主通風路１４に連通する構成となっている。なお、図１において、主通風路１４から取込口２２によって副通風路２１へ分流され、副通風路２１から放出口２３によって主通風路１４へ合流する空気の流れを破線矢印Ａで示す。
【００２１】
また、取込口２２は、主通風路１４の内壁面に開口する孔状に設けられると共に、副通風路２１における取込口２２近傍の流路２１ａが、主通風路１４に対して所定の角度θを成すように設けられている（図３参照）。角度θは鋭角に設定することが好適であって、一例としてθ＝４５［°］程度に設定されるが、この角度に限定されるものではない。この構成によれば、副通風路２１内に分流させた空気の風速・風量を適切な値まで低下させることができる。したがって、前述の課題すなわち副通風路における風速・風量が高すぎて、分流させた空気を十分に冷却できないという課題の解決が可能となる。なお、取込口２２の内径、あるいは角度θを適宜変更することによって、副通風路２１内の空気の風速・風量を最適な値に調整することが可能となる。
【００２２】
一方、放出口２３は、主通風路１４内の最上部１４ａに連通して設けられている。これによって、副通風路２１内に分流させた空気を、当該主通風路１４内の最上部１４ａを流通する非加熱で且つ風速・風量の高い空気に合流させることが可能となる。
【００２３】
また、副通風路２１の内部には、分流させた空気を冷却する冷却手段が設けられている。本実施形態における冷却手段として、ペルチェ素子２７の吸熱部２８が用いられる。より詳しくは、図１に示すように、吸熱部２８が副通風路２１内に露出するようにペルチェ素子２７が配設される。当該ペルチェ素子２７への通電によって、吸熱部２８が低温となるため、副通風路１２内の空気が冷却される作用が得られる。また、これと同時に、空気中の水蒸気を結露させて水滴を供給する作用も得られる。これらの作用によって、後述のマイナスイオン放出作用を向上させることが可能となる。なお、冷却手段は、ペルチェ素子２７の吸熱部２８に限定されるものではない。
【００２４】
また、副通風路２１の内部には、マイナスイオンを発生させるイオン発生手段が設けられている。一例として、イオン発生手段は、放電電極２４と対向電極２５とを備えて構成され、高電圧電源（不図示）の陰極を放電電極２４に接続し、陽極を対向電極２５に接続して、両電極間において放電を行うことによって、マイナスイオンを発生させるものである。本実施形態においては、当該イオン発生手段のうちの放電電極２４を副通風路２１内に配設し、対向電極２５を主通風路１４内に配設する構成としている。ただし、これに限定されるものではなく、放電電極２４および対向電極２５を副通風路２１内に配設する構成とすることも考えられる。また、その他のイオン発生手段を用いる構成としてもよい。
【００２５】
より詳しくは、図１に示すように、イオン発生手段の放電電極２４は、副通風路２１内の放出口２３の近傍に配設されている。本実施形態における放電電極２４は、針状の形状を有するイオン針を用いて構成され、当該イオン針には前記高電圧電源からの配線（不図示）が接続されると共に、針の先端が主通風路１４の方向に向けて配設されている。これによって、主通風路１４に向けて放電を行うことが可能となる。
【００２６】
一方、イオン発生手段の対向電極２５は、主通風路１４内の最上部１４ａに配設されている。本実施形態における対向電極２５は、ヒータープレート２６に固定されたハトメを用いて構成され、当該ハトメには前記高電圧電源からの配線（不図示）が接続されている。
【００２７】
以上のように、副通風路２１を設けると共に、取込口２２および当該取込口２２近傍の流路２１ａを上記の構成とすることによって、副通風路２１内に分流させた空気の風速・風量を適切な値まで低下させることができ、副通風路２１内の空気を冷却手段（ここでは、吸熱部２８）により冷却する効果および水滴を供給する効果を高めることができるため、当該空気中に放電することでマイナスイオン発生効果を高めることができる。その一方で、副通風路２１内の空気の風速・風量が低下してしまうと、相反する課題すなわち前述のように、放電部周辺がマイナスの電荷で満たされた飽和状態となりマイナスイオンの発生量が減少（低下）してしまうという課題が生じ得る。これに対して、本実施形態では、放電電極２４を副通風路２１内に配設すると共に対向電極２５を主通風路内に配設することによって、狭い副通風路２１内でマイナスイオンが飽和状態となってしまうことが防止できるため、当該課題の解決を可能としている。
しかし、対向電極２５が主通風路１４内に配設されていることから、前述の課題すなわち温風の熱による高温環境となることによってマイナスイオンが消滅し易いという課題が生じ得る。これに対して、本実施形態では、ヒーター１７の上半部の外径寸法を小径として主通風路１４内の最上部１４ａにヒーター１７により加熱されない風の流路を形成することによって、当該課題の解決を可能としている。これに加えて、副通風路２１の放出口２３を主通風路１４に連通させて、発生したマイナスイオンを当該主通風路１４内の最上部１４ａを流通する非加熱で且つ風速・風量の高い空気に乗せて送出することによって、前述の課題すなわち、副通風路における風速・風量が低いことによって毛髪に到達するマイナスイオン量が低下して効果が減少してしまう課題の解決を可能としている。
【００２８】
続いて、上記構成を備えるヘアードライヤー１の動作について説明する。
先ず、グリップ１２に設けたスイッチ１３により電源をオン（温風モード）にすると、モーター１９とヒーター１７が作動し、外気が吸入口１５から主通風路１４に導入され、ヒーター１７で加熱されて主放出口１６から温風として放出される。ここで、主通風路１４内を流れる空気流量（風量）は、常に一定としてもよく、あるいは、グリップ１２に設けたスイッチ１３により段階的もしくは連続的に調整可能として変化させてもよい。なお前述の通り冷風モードを備える場合には、電源をオン（冷風モード）にすると、ヒーター１７に通電されないため主放出口１６から冷風（外気の温度のままの風）が放出される。
【００２９】
また、主通風路１４内に空気の流れが生じると同時に、主通風路１４から取込口２２によって副通風路２１へ分流され、副通風路２１から放出口２３によって主通風路１４へ合流する空気の流れ（分流）が発生する。
【００３０】
副通風路２１へ分流された空気の流れ（分流）は、冷却手段（ここでは、ペルチェ素子２７の吸熱部２８）によって冷却される。また、当該空気に含まれる水蒸気が冷却によって凝結して水滴が当該分流空気中に発生する。
【００３１】
一方、電源をオンにすると、放電電極２４と対向電極２５との間に高電圧が印加されて、放電電極２４の先端と対向電極２５との間の間隙に強電界が発生する。このとき、上記の冷却手段によって冷却されると共に水滴が供給された空気中において放電（コロナ放電）が行われ、マイナスイオンが放出される。本実施形態においては、当該マイナスイオンが副通風路２１の放出口２３の内外近傍で発生する作用が得られ、マイナスイオン（マイナス電荷）が飽和状態となってしまうことを抑制できるため、マイナスイオン発生量の減少を防止することができる。
【００３２】
副通風路２１内の分流空気が放出口２３から主通風路１４へと合流することによって、上記により発生したマイナスイオンは、主通風路１４内の最上部１４ａを流通する非加熱で且つ風速・風量の高い空気に乗って、主放出口１６から放出される。
【００３３】
以上、説明した通り、本発明に係るヘアードライヤーによれば、熱によるマイナスイオンの減少を防止できると共に、電荷の飽和によるマイナスイオン発生量の減少を防止できる。また、十分に冷却した空気を流通させてマイナスイオンの放出量を増加させることができ、且つマイナスイオンを遠くまで到達させることができる。
【００３４】
より具体的には、副通風路内に分流させた空気の風速・風量を適切な値まで低下させることができ、副通風路内の空気を冷却手段により冷却する効果および水滴を供給する効果を高めることができるため、当該空気中に放電することでマイナスイオン発生効果を高めることができる。すなわち、マイナスイオン発生量を増加させることができる。
【００３５】
また、マイナスイオンを副通風路の放出口の内外近傍で発生させることができるため、狭い副通路内でマイナス電荷が飽和状態となってマイナスイオン発生量が減少してしまうことを防止できる。
【００３６】
また、主通風路内の最上部に非加熱で且つ風速・風量の高い空気の流れを発生させることによって、発生したマイナスイオンが温風の熱で減少してしまうことが防止できる。さらに、当該マイナスイオンを遠くまで、すなわちユーザーの毛髪まで十分に到達させることができる。
【００３７】
なお、本発明は、以上説明した実施例に限定されることなく、本発明を逸脱しない範囲において種々変更が可能である。
【符号の説明】
【００３８】
１  ヘアードライヤー
１１  ハウジング
１２  グリップ
１３  スイッチ
１４  主通風路
１５  吸入口
１６  主放出口
１７  ヒーター
１８  ファン
１９  モーター
２０  膨出部
２１  副通風路
２２  取込口
２３  放出口
２４  放電電極
２５  対向電極
２６  ヒータープレート
２７  ペルチェ素子
２８  ペルチェ素子の吸熱部
【図１】
2013022251.tif 000003
【図２】
2013022251.tif 000004
【図３】
2013022251.tif 000005
【図４】
2013022251.tif 000006
【手続補正書】
【提出日】平成23年11月25日(2011.11.25)
【手続補正１】
【補正対象書類名】特許請求の範囲
【補正対象項目名】全文
【補正方法】変更
【補正の内容】
【特許請求の範囲】
【請求項１】
一端側に空気を取り込む吸入口が設けられ、他端側に該空気を放出する主放出口が設けられて該空気が流通する筒状の主通風路を備え、該主通風路内部の上流側に該空気を送風するファンを有すると共に下流側に該空気を加熱するヒーターを有するヘアードライヤーにおいて、
前記主通風路における前記ファンと前記ヒーターとの間の位置から分岐して前記空気を分流させる副通風路を備え、
前記副通風路は、内部に、マイナスイオンを発生させるイオン発生手段のうちの放電電極と、前記分流させた空気を冷却する冷却手段とが設けられると共に、該分流させた空気を放出する放出口が前記主通風路に連通して設けられており、
前記イオン発生手段の放電電極は、前記副通風路内の前記放出口の近傍に配設されると共に、該イオン発生手段の対向電極は、前記主通風路内の最上部に配設されていること
を特徴とするヘアードライヤー。
【請求項２】
前記副通風路は、前記主通風路から空気を分流させる取込口が該主通風路の内壁面に開口する孔状に設けられると共に、該副通風路における該取込口近傍の流路が該主通風路に対して所定の角度を成すように設けられていること
を特徴とする請求項１記載のヘアードライヤー。
【請求項３】
前記ヒーターは、前記主通風路の中心に対して前記副通風路寄りの上半部の外径寸法が下半部の外径寸法よりも小さくなるように配設されて、該主通風路内の最上部に該ヒーターにより加熱されない風の流路が形成されること
を特徴とする請求項１または請求項２記載のヘアードライヤー。
【請求項４】
前記副通風路の放出口は、前記主通風路内の最上部に連通して設けられていること
を特徴とする請求項３記載のヘアードライヤー。
【請求項５】
前記冷却手段は、ペルチェ素子の吸熱部であること
を特徴とする請求項１〜４のいずれか一項記載のヘアードライヤー。
【手続補正２】
【補正対象書類名】明細書
【補正対象項目名】００１１
【補正方法】変更
【補正の内容】
【００１１】
開示のヘアードライヤーは、一端側に空気を取り込む吸入口が設けられ、他端側に該空気を放出する主放出口が設けられて該空気が流通する筒状の主通風路を備え、該主通風路内部の上流側に該空気を送風するファンを有すると共に下流側に該空気を加熱するヒーターを有するヘアードライヤーにおいて、前記主通風路における前記ファンと前記ヒーターとの間の位置から分岐して前記空気を分流させる副通風路を備え、前記副通風路は、内部に、マイナスイオンを発生させるイオン発生手段のうちの放電電極と、前記分流させた空気を冷却する冷却手段とが設けられると共に、該分流させた空気を放出する放出口が前記主通風路に連通して設けられており、前記イオン発生手段の放電電極は、前記副通風路内の前記放出口の近傍に配設されると共に、該イオン発生手段の対向電極は、前記主通風路内の最上部に配設されていることを要件とする。